(57)【要約】【課題】スキャニングによって画像情報を取得できる携帯端末装置において、安定した一定の速度でのスキャニング性、得られる画像情報の精度向上、容量やコストを大きく増加させないなどの、操作性や実用性に優れた携帯端末装置を提供する。【解決手段】二つの筐体が可動機構を介して開閉自在に連結されて構成される携帯端末装置において、二つの筐体の内面が近接されて閉状態とされたとき、二つの筐体間には薄片状の対象物を挿通するためのスペースが形成され、二つの筐体のうちの一方は、閉状態で内面となる面に、薄片状の対象物から画像を取得するためのスキャナ部が配設され、対象物をスペースに挿通して二つの筐体間を移動させ、スキャナ部によって対象物表面の画像情報をスキャニングするよう構成される携帯端末装置とした。【選択図】      図３
2006054763.tif 000002
【特許請求の範囲】
【請求項１】
二つの筐体が可動機構を介して開閉自在に連結されて構成される携帯端末装置において、
前記二つの筐体の内面が近接されて閉状態とされたとき、前記二つの筐体間には薄片状の対象物を挿通するためのスペースが形成され、
前記二つの筐体のうちの一方は、閉状態で内面となる面に、薄片状の対象物から画像を取得するためのスキャナ部が配設され、
前記対象物を前記スペースに挿通して二つの筐体間を移動させ、前記スキャナ部によって前記対象物表面の画像をスキャンするよう構成される、ことを特徴とする携帯端末装置。
【請求項２】
請求項１に記載の携帯端末装置において、
前記携帯端末装置は、二つの筐体がヒンジ機構を介して折り畳み式に連結され、
前記二つの筐体のうちの一方は、前記スキャナ部がある面に、ＬＣＤモジュールが配設され、
前記他方の筐体は、閉状態で内面となる面にキーパッド部が配設され、構成されることを特徴とする携帯端末装置。
【請求項３】
請求項１または２に記載の携帯端末装置において、
前記ＬＣＤモジュールはＬＥＤを有し、このＬＥＤを点灯してスキャニング時の光源として用いる、ことを特徴とする携帯端末装置。
【請求項４】
請求項１〜３いずれかに記載の携帯端末装置において、
スキャニング中の前記対象物に接触してこれを移送するためのローラー部を有し、
このローラー部を回転させるための動力源として、バイブレーションを駆動させるために内蔵されたモータが用いられる、ことを特徴とする携帯端末装置。
【発明の詳細な説明】
【技術分野】
【０００１】
本発明は、スライド式機構、回転または回動式機構、折りたたみ式機構などの可動機構によって、構成部材同士が相互に可動する構造を備える携帯端末装置にかかり、より詳細には、画像の読み取り(スキャニング)ができる携帯端末装置に関するものである。
【背景技術】
【０００２】
従来における画像読み取り機能付きの携帯端末装置としては、例を挙げれば次のようなものがある。
従来例１：キーボード部とディスプレイ部とを正面に備えた薄い箱形の装置本体を有する携帯電話機等のような通信端末装置において、この装置本体の側面部には隙間通路を形成し、この隙間通路に臨んでスキャナを取り付けておき、名刺などの紙片をこの隙間通路を通過させることによって、紙片上の文字画像を読み取る、というような通信端末装置の提案がなされている。
【０００３】
従来例２：装置筐体を有する携帯電話装置において、装置筐体の側面部に、読み取り用原稿から画像を読み取るためのスキャナ部を設けておき、読み取り用原稿がこのスキャナ部を走査する速度を演算するためのローラー部と走査速度判定部とを設け、スキャンされた情報に対してファクシミリ通信を可能とする提案がなされている。
【０００４】
しかしながら、上記先行技術には、以下のような問題が想定出来る。
従来例１では、箱形の装置本体に名刺などの紙片が通る隙間通路を設けておき、その隙間に紙片を通し、内部にあるスキャナで文字画像情報をスキャンする方法であるが、装置本体の内部にスキャナが設置されているため、紙片をスキャンする場合にスキャナ部に十分な明るさを取り入れることが困難なこともあり、読み取った文字画像情報の精度劣化が懸念される。またその為に、本体装置の隙間通路に光源を設ける場合には、スキャナ用の光源を用意する必要があり、通信端末装置の容量及びコストの増加が懸念される。
【０００５】
また従来例２の携帯電話装置においては、読み取るべき紙片に対して、ユーザー自らが、読み取り機能付き携帯電話装置を保持しながらそれを移動させてゆくハンドスキャンナー方式のため、読み取りのための安定した一定速度を保つことが困難であり、ばらついた速度でスキャンした場合での文字画像情報の精度劣化などが懸念される。
【０００６】
携帯電話機にスキャナを接続して使用する技術については、下記特許文献が開示している。
【特許文献１】特開２００３−２３００４１号公報
【発明の開示】
【発明が解決しようとする課題】
【０００７】
上述したように、携帯電話機やＰＤＡ等の携帯端末装置を用いて、読み取るべき紙片等の資料からスキャニングによって画像情報を得られる技術があったとはいうものの、読み取り速度が不安定であるために画像情報の精度が劣化したり、装置の容量やコストが増加したりするなどの問題点があった。
本発明の携帯端末装置では、このような問題点に鑑みてなされたものであり、スキャニングによって画像情報を取得できる携帯端末装置において、安定した一定の速度でスキャンすることを可能にして、得られる画像情報の精度を向上させ、また、装置の容量やコストを大きく増加させることがなく、操作性や実用性に優れたスキャナ機能付き携帯端末装置を提供することを目的としている。
【課題を解決するための手段】
【０００８】
本発明は、上記欠点を鑑みてなされたものであり、つぎのような手段を用いる。
（１）二つの筐体が可動機構を介して開閉自在に連結されて構成される携帯端末装置において、
前記二つの筐体の内面が近接されて閉状態とされたとき、前記二つの筐体間には薄片状の対象物を挿通するためのスペースが形成され、
前記二つの筐体のうちの一方は、閉状態で内面となる面に、薄片状の対象物から画像を取得するためのスキャナ部が配設され、
前記対象物を前記スペースに挿通して二つの筐体間を移動させ、前記スキャナ部によって前記対象物表面の画像をスキャニングするよう構成される携帯端末装置とした。
【０００９】
（２）  (１)の携帯端末装置において、
前記携帯端末装置は、二つの筐体がヒンジ機構を介して折り畳み式に連結され、
前記二つの筐体のうちの一方は、前記スキャナ部がある面に、ＬＣＤモジュールが配設され、
前記他方の筐体は、閉状態で内面となる面にキーパッド部が配設され、構成される。
【００１０】
（３）  (１)または(２)の携帯端末装置において、
前記ＬＣＤモジュールはＬＥＤを有し、このＬＥＤを点灯してスキャニング時の光源として用いる。
（４）  (１)〜(３)いずれかの携帯端末装置において、
スキャニング中の前記対象物に接触してこれを移送するためのローラー部を有し、
このローラー部を回転させるための動力源として、バイブレーションを駆動させるために内蔵されたモータが用いられる。
【発明の効果】
【００１１】
本発明の携帯端末装置によれば、安定した一定の速度でスキャンすることが可能となって、得られる画像情報の精度を向上させ、また、装置の容量やコストを大きく増加させることがなく、操作性や実用性に優れたスキャナ機能付き携帯端末装置を提供することができる。
【発明を実施するための最良の形態】
【００１２】
以下、本発明による携帯端末装置の一実施形態について、添付の図面１〜５を参照して詳細に説明する。図１は、本発明の一実施形態によるスキャナ機能付きの携帯端末装置Ａを示す概観図である。また、図２は図１の携帯端末装置Ａの側面図であり、図３は、本発明による携帯端末装置Ａを用いて、紙片４００の画像情報をスキャニングする場合のイメージ図を示す。
【００１３】
図１の本発明による携帯端末装置Ａは、二つの筐体(１００と２００)がヒンジ機構１５０を介して開閉自在に連結されて構成される折り畳み式の装置であり、携帯電話機、ＰＤＡ、パーソナルコンピュータなどに容易に適用することができる。この携帯端末装置Ａは、スキャナ部１０６とＬＣＤモジュール１０１とを有する第一筐体１００、およびキーパッド２０１を有する第二筐体２００の主要な二筐体からなる。そして、二つの筐体はヒンジ部１５０を介して開閉自在または回動自在となる構造を有し、折り畳まれると内面が合わせられたコンパクトな閉状態となり、開かれると開状態となる。図１の携帯端末装置Ａは、ヒンジ部１５０を軸心として第一筐体１００と第二筐体２００とが９０度以上開かれた状態である。
【００１４】
この第一筐体１００は、携帯端末装置Ａが折り畳まれて閉じられた状態において内面となる面１ａには、画面表示を行うための矩形状のＬＣＤモジュール１０１と、紙片４００(図３参照)から画像情報を取得するためのスキャナ部１０６とを有する。このスキャナ部１０６は、ＬＣＤモジュール１０１の外枠辺のうちのヒンジ部１５０と鉛直となる一辺に沿って、帯状または直線状に設けられている。
【００１５】
ここで、このＬＣＤモジュール１０１の外枠辺の一辺の下部位置には、挿入される矩形の紙片４００(例えば名刺)の画像情報をスキャンするために、この紙片４００の一端辺を保持するためのガイド１０４が、ヒンジ部１５０と平行に配設されていて、ヒンジ部１５０と直角方向に移動可能である。また、このＬＣＤモジュール１０１の外枠辺の上部位置でガイド１０４と対向する一辺の位置には、紙片４００の対向する別の一端辺を保持するがヒンジ部１５０の直角方向に上下移動をしないガイド１０２が設けられている。そして、平行に配置されたガイド１０２とガイド１０４とは、名刺のような薄厚矩形状の紙片４００の対向する一端辺をそれぞれ保持または支持することができ、さらに、図３に示すように、折り畳まれた携帯端末装置Ａの外側に移動させて突出させ、そこに紙片４００を配置設定させてから、携帯端末装置Ａの中に挿入することもできる。
【００１６】
また、この第一筐体１００には、このガイド１０４を図１に示す方向に移動する場合に必要な紙片ガイド可動用溝(１０３ａと１０３ｂ)が、ＬＣＤモジュール１０１の両側辺に設けられている。これらの溝(１０３ａと１０３ｂ)には、ガイド１０４の内側に形成された突起部が、摺動可能または移動可能に係合されているので、平行配置されたガイド１０２とガイド１０４との間隔を調整することができる。
【００１７】
さらに、この携帯端末装置Ａでは、挿入される紙片４００を図１の横(左右)方向に送るためのローラー部２０３が第二筐体２００に配設され、装置が閉じられたときに、ローラー部２０３と同じ位置になるように第一筐体１００にもローラー部１０５が配設される。これにより、ローラー部２０３とローラー部１０５との間に紙片４００が挟持されるような構造となり、ローラー部２０３の回転によって紙片４００は装置内部に一定速度で効率的に移送される。
【００１８】
この携帯端末装置Ａを開けたとき現れる第二筐体２００の面２ａには、この装置Ａのシステム操作を行うための複数のキーパッド２０１が設けられ、この装置Ａに対しての無線網からの音声またはメール等の着信を通知するための振動体であるバイブ用錘２０４(図５参照)が内蔵されている。また、第二筐体２００の面２ａには、スキャンする場合に画像が記された紙片４００を安定した一定の速度で移動させるためのローラー部２０３が設けられ、また、第一筐体１００の面１ａには閉状態でのローラー部２０３と対面する位置にローラー部１０５が設けられており、さらに、固定用マーカー２０９が、第一筐体１００のスキャナ部１０６の位置に合わせて設けられる。スキャニング時で、第二筐体２００のローラー部２０３に回転動作をさせるためには、バイブレーション発生用に第二筐体２００に内蔵されているモータ２０２(図５参照)が用いられるとよい。
【００１９】
図２は、図１の携帯端末装置Ａが折り畳まれて閉状態となったときの側面図である。この携帯端末装置Ａは、二つの筐体である第一筐体１００と第二筐体２００とが回動部(ヒンジ)１５０を介する折畳み式機構により開閉自在に連結されて構成されているので、一方の第一筐体１００の面１ａに設けられたＬＣＤモジュール１０１とスキャナ部１０６、他方の第二筐体２００の面２ａに設けられたキーパッド部２０１などは、閉状態においては、２つの筐体間の内側の隠された位置に配置されることとなる。
【００２０】
このように、二つの筐体である第一筐体１００と第二筐体２００とが折り畳まれて、内面同士(面１ａと面２ａ)が向き合って相互に近接されて閉状態となったときには、本発明の携帯端末装置Ａでは、これら二つの筐体間には薄片状の対象物を挿通することのできるスペースＳが形成されてそれが確保されるよう構成される。
そして、この第一筐体１００には、この紙片４００の対向する２つの側辺の位置を設定して保持するためガイド部(１０２と１０４)があり、これらのガイド部(１０２と１０４)は、開状態を例にすると第一筐体から第二筐体の方に突設されていて、とりわけガイド部１０２の端は第二筐体２００の面２ａと当接するよう設計されている。これにより、装置Ａが閉じられたときには、第一筐体１００と第二筐体２００とは、ガイド部(１０２と１０４)によって、相互の接近する位置が規制され、その内面(１ａと２ａ)間には、スペースＳが確保される。
【００２１】
そして、閉じられた携帯端末装置ＡのスペースＳに紙片４００が配置されたとき、この紙片４００は二つのローラー部(１０５と２０３)によって挟持され、その回転によって移動されるよう設定されている。このローラー部２０３は、第二筐体２００が内蔵するバイブレーション発生用のモータに連結されて回転動作が伝達されるよう構成され、紙片４００は、このローラー部２０３の回転方向である装置内部に移送されることとなり、スキャナ部１０６によって紙片４００の画像情報のスキャニングが行われる。
【００２２】
図３は、本発明の携帯端末装置Ａにおいて、紙片４００を配置して内部に挿入して、紙片４００上にある画像情報をスキャンするときの様子を示す外観斜視図である。ここで、ガイド部(１０２と１０４)は、紙片４００が挿入される側の位置に移動させて配設しておくことができ、紙片４００の端辺はこのガイド部(１０２と１０４) によって保持または係止されて位置の設定(固定)がなされ、二つの筐体(１００と２００)間でローラ移送されて内部に移動され、スキャニングが行われる。
【００２３】
本発明の携帯端末装置Ａは、これまで図１〜図３を参照して述べてきたように、挿入された紙片４００は、第一筐体１００上のローラー部１０５と、第二筐体２００上のローラー部２０３、及び、間隔調整と装置外への延伸とが可能な位置固定のガイド部（１０２、１０４）によってその位置が設定されて保持される。図１と図２においては、位置を規定するためのガイド１０４についてのみ、ガイド可動用溝（１０３ａ、１０３ｂ）にそって移動可能とした場合について説明をしており、ユーザー自身が、挿入する画像情報が記された紙片４００の幅によって可動する紙片ガイド１０４を移動させて、紙片４００の位置に合わせて調整して保持することが可能である。このような紙片４００の挿入位置の調整や保持手段は、これまで紹介した紙片ガイド（１０２、１０４）を用いる方法以外にも当業者なら様々に考えられ、例えば、携帯端末装置の構造自体に紙片の溝を設けるなどによって紙片の位置を固定する、という手法も考えられてよい。
【００２４】
図４は、本発明の一実施形態にかかる携帯端末装置Ａにおける構成ブロック図であり、ここでの携帯端末装置Ａは、例えば折畳み型携帯電話機などの移動携帯端末である。
携帯端末装置Ａの統括的な制御を行う制御部(ＣＰＵ)３００には多くの構成部が接続されており、これらの構成部として、無線送受信部３０１、音声Ｉ／Ｏ部３０２、キーパッド部２０１、電池３０３、モータ２０２、ＬＣＤモジュール１０１、およびスキャナ部１０６がある。ここでのモータ２０２は、バイブレーション用錘ギア２１２とローラ部ギア２１１と備えるギア部２１０に接続され、また、ＬＣＤモジュール１０１は、ＬＣＤ表示部１３２、ＬＣＤモジュール用ＬＥＤ１３３、表示情報用メモリ１３１を備える。そして、スキャナ部１０６の通信ライン１０６'は、ＬＣＤモジュール１０１、画像情報を保存するメモリ３０４を接続する。
【００２５】
図５(ａ)〜(ｃ)は、携帯端末装置Ａが内蔵するモータによるローラーおよびバイブレーション駆動動作にかかる機構説明図である。図５(ａ)〜(ｃ)は、図５(ａ)はスキャナ開始前でバイブレーションもローラーも稼動していない停止状態、図５(ｂ)はスキャニングが実行されてローラーが稼動しているローラー稼動状態、図５(ｃ)はバイブレーションが稼動されているバイブ稼動状態、それぞれを示す。
【００２６】
図５(ａ)〜(ｃ)に示すモータ動力伝達機構は、モータ２０２から、コモンギア２０５を介して他部材に動力が伝達され、伝達が必要な場合には、モータ２０２の軸に固定されたモータ軸固定盤２０６がｄ１またはｄ２に示す方向へ傾けられて動力を伝達できるようにその機構が制御される。図５(ａ)の状態では、モータ軸固定盤２０６が傾けられていないので、コモンギア２０５の回転力はいずれにも伝達されない。ところが、図５(ｂ)のように方向ｄ１のように傾けられたときは、ローラー部用ギア２０７と噛合して、これと同軸で連結されるローラー部２０３を回転させることができる。また、図５(ｃ)では方向ｄ２に傾けられており、このときはバイブ用ギア２０８と噛合して、これに連結するバイブ用錘２０４を回転してバイブレーションを発生させる。
【００２７】
本発明では、ユーザーが携帯端末装置Ａを用いて、名刺からなる紙片４００のスキャニングを開始する場合に、まず紙片４００を所定の位置に配置してそれを内部に挿入させてゆくが、そのようなスキャニングの実行は、ユーザー自身によるキーパッド２０１の操作による機能選択に基づいてなされる。
スキャニングの開始にあたって、携帯端末装置Ａのシステムを司る制御部３００は、ユーザーによるキーパッド２０１の操作によってスキャナ開始通知を受ける。図５(ａ)はスキャナ開始前の状態でのモータ動力伝達機構であり、バイブレーションやローラーはいずれも動作していない。
【００２８】
図５(ａ)の状態において通知を受けた制御部３００は、モータ２０２に対してモータ軸固定盤２０６をＡ方向に回転するための制御を行い、図５(ｂ)の状態に移行する。図５(ｂ)では、モータ２０２がＡ方向に回転して、モータ２０２の軸に固定されたモータ軸固定盤２０６が方向ｄ１へ傾くため、コモンギア２０５とローラー部用ギア２０７とが噛み合うことにより、キーパッド部用ローラー部２０３が回転する。なお、ＬＣＤモジュール部１０１のある第一筐体に配設された別のローラー部１０５は、モータにより駆動されるのではなく、紙片４００を安定した一定の速度で送り出しを可能とするための補助的なローラーとして用いられる。
【００２９】
また、携帯端末装置Ａにおいてが、画像が記された紙片４００をスキャンする場合では、ローラー部２０３が回転していて、図５(ｂ)に示す状態となっているが、このとき、制御部３００はＬＣＤモジュール用ＬＥＤ１３３を点灯させて、スキャナ部１０６の周辺を明るくすることができる。このＬＥＤの点灯によって、画像が記された紙片４００のスキャン精度を大きくに向上させることができる。又、ＬＥＤを兼用することにより、コストを抑えることができ、小型化も図れる。
【００３０】
そして、ＬＣＤモジュール用ＬＥＤ１３３による光源を更に有効にするために、ＬＣＤ表示部１３２の表示ピクセル情報をすべて「白データ」とする制御なども考えられる。その場合、スキャン開始前の表示情報を一旦メモリ３０２に格納した後、制御部３００がＬＣＤ表示部１３２内の表示情報用メモリ部１３１に対して、すべて「白データ」を書き込み、スキャン動作終了後、先にメモリ３０４に格納された表示情報を読み込み、表示情報用メモリ部１３１に書き戻すとよい。さらに、ＬＣＤモジュール用ＬＥＤ１３３への供給電圧レベルを高くすることによっても、ＬＥＤ１３３の発光輝度を高くすることが可能であり、それにより光源輝度を高める手法等も考えられる。
【００３１】
スキャニング時の動作としては、以下の通りである。
ローラー部２０３とローラー部１０５とが紙片４００を挟持しながら回転し、画像が記された紙片４００が安定した一定の速度でスキャナ部１０６を通過していく。その場合、スキャナ部１０６から取得した画像情報を、制御部３００はメモリ部３０４へ随時格納をする。それにより携帯電話装置内のメモリへの保存または、メモリカードのような外部ストレージデバイスへの格納、無線送受信部３０５を介して通信先への送信や、ＦＡＸ送信などを実現することが可能となる。
【００３２】
次に、スキャンする紙片をすべて送り終えたことを感知するために、キーパッド部２０１のある第二筐体２００上に、固定マーカー２０９情報となるものを用意する。この固定マーカー２０９の配置に関しては、ＬＣＤモジュール部のある第一筐体１００と、キーパッド部のある第二筐体２００とが重なりあった場合に、第一筐体１００にあるスキャナ部１０６と対する第二筐体２００上の位置に配置するとよく、これにより、スキャンした情報から、紙片がスキャナ部１０６上に存在しないことを検出することが可能となる。
【００３３】
そして、スキャン終了を検出した制御部３００は、モータ２０２の駆動を停止して図５(ａ)の状態とし、ＬＣＤモジュール用ＬＥＤ１３３をＯＦＦにする。また、スキャナ部１０６から読み込んだ固定マーカー２０９情報に関しては、メモリ部３０２への格納は行わない。なお、本実施形態では、スキャナ部１０６に対する面に、固定マーカー２０９を配設することにより、スキャン動作の終了を検出する手法で説明を行ってきたが、紙片４００が、ＬＣＤモジュール部のある第一筐体１００とキーパッド部２００のある第二筐体２００との隙間に挿入されたことを感知するためのセンサまたは検出スイッチなどを用いた別の検出手法を本発明に適用することも考えられる。
【００３４】
また、モータ２０２の駆動によってバイブレーション機能を働かせるためには、図５(c)に示すように、モータ２０２が回転Ｂとなって、モータ２０２の軸に固定されたモータ軸固定盤２０６が方向ｄ２へ傾いて、コモンギア２０５とバイブ用ギア２０８とが噛み合ってバイブ用錘２０４を振動させることとなる。このため、スキャン時に動作させるローラー部２０３を回転させるためのモータの回転方向（回転Ａ）とは、逆の方向（回転Ｂ）にモータ２０２が回転するよう、制御部３００からコントロールする必要がある。
【００３５】
本発明では、これまで実施例として折りたたみ式構造の携帯端末装置によって説明を行ってきたが、これに限られるものではない。すなわち、ＬＣＤモジュール部１０１を有する筐体とキーパッド部２０１を有する筐体を用いて、スライド式または回転(回動)式構造に構成した別の携帯端末装置においても、ＬＣＤモジュール１０１の背面が開閉するなどの構造を持たせることによって、ＬＣＤモジュール用ＬＥＤ１３３の光源を、二つの筐体の隙間（スペース）に取り入れることが可能であり、本実施例と同様の機能を実現することが可能である。
【００３６】
本発明による携帯端末装置は、携帯電話機等の移動通信端末にとりわけ適用が容易であり、次のような利点が得られる。
・スキャン時に必要となる光源に関して、既存の携帯端末装置にあるＬＣＤモジュール用ＬＥＤの光源を利用することによって、スキャナ機能付き携帯端末装置を実現する場合、その体積容量またはコストの低減を図ることが可能である。
・スキャンする紙片を安定した速度で移動させる手段として、既存の移動通信端末にあるバイブレーション用モータを利用することによって、コスト低減を図ると同時に、スキャナ機能としての向上を図ることができる。
【００３７】
・ＬＣＤモジュール部を有する筐体とキーパッド部を有する筐体とからなり、互いの筐体が重なりあう折りたたみ式、スライド式または回転式構造をもった携帯端末装置に、本発明を容易に適用することができる。
・画像が記された紙片上の情報を読み取ることが可能な、ＬＣＤ表示パネルと同等幅のスキャナ部を備えた携帯端末装置に、本発明を容易に適用することができる。
・ＬＣＤモジュール用ＬＥＤが備わっており、ＣＰＵなど制御部から意図的に本ＬＥＤのＯＮ/ＯＦＦ制御可能な携帯端末装置に、本発明を容易に適用することができる。
【００３８】
・１台のモータによって、音声またはメール着信時にユーザーへの通知手段としてのバイブレーション機能を実現することができ、また、スキャン動作を行う場合には、同じモータにより、紙片を移動するためのローラーを回転させることができる。
・スキャナ部と同等幅で配設された紙片の位置を固定するためのガイドまたは溝を備えて構成するのが好ましい。
【産業上の利用可能性】
【００３９】
本発明による携帯端末装置は、携帯電話機、パーソナルコンピュータ、ＰＤＡ等への適用が容易であり、スキャニング機能を備える携帯端末装置として、産業上の利用可能性は極めて大きい。
【図面の簡単な説明】
【００４０】
【図１】本発明による携帯端末装置の一実施形態である携帯端末装置Ａの開状態を示す外観斜視図である。
【図２】図１の携帯端末装置Ａの閉状態を示す側面図である。
【図３】図１の携帯端末装置Ａの使用状態でのイメージ図である。
【図４】本発明による携帯端末装置の一実施形態である携帯端末装置Ａの構成ブロック図である。
【図５】本発明による携帯端末装置Ａが搭載するモータ駆動機構の説明図であり、図５(ａ)はバイブレーションもローラーも稼動していない停止状態、図５(ｂ)はスキャニング実行中でのローラー稼動状態、図５(ｃ)はバイブレーションが稼動されているバイブ稼動状態をそれぞれ示す。
【符号の説明】
【００４１】
Ａ    携帯端末装置
１００    第一筐体（ＬＣＤモジュール側）
１ａ      第一筐体の閉状態での内面
１０１    ＬＣＤモジュール
１０２    紙片ガイド（固定部）
１０３    紙片ガイド可動用溝
１０４    紙片ガイド（可動部）
１０５    ローラー部（ＬＣＤモジュール側）
１０６    スキャナ部
１３１    表示情報用メモリ
１３２    ＬＣＤ表示部
１３３    ＬＣＤモジュール用ＬＥＤ
１５０    回動部（ヒンジ部）
Ｓ        筐体間のスペース
２００    第二筐体（キーパッド部側）
２ａ      第二筐体の閉状態での内面
２０１    キーパッド
２０２    モータ
２０３    ローラー部（キーパッド部側）
２０４    バイブ用錘
２０５    コモンギア
２０６    モータ軸固定盤
２０７    ローラー部用ギア
２０８    バイブ用ギア
２０９    固定マーカー
２１０    ギア部
２１１    ローラ部ギア
２１２    バイブ用錘ギア
３００    制御部（ＣＰＵ）
３０１    無線送受信部
３０２    音声Ｉ／Ｏ
３０３    電池
３０４    メモリ
４００    紙片
【図１】
2006054763.tif 000003
【図２】
2006054763.tif 000004
【図３】
2006054763.tif 000005
【図４】
2006054763.tif 000006
【図５】
2006054763.tif 000007